(57)【要約】【課題】天井に製品を取り付ける際の施工性の向上が可能な天吊り用据え付け具を得ること。【解決手段】天吊り用据え付け具は、天井４８の下方に配置された天井パネル４６に設けられた天井開口の外周縁部を天井パネル４６の下方から覆い、製品本体６０が取り付けられる化粧パネル２０と、化粧パネル２０における天井４８側に取り付けられる天吊金具１０と、天吊金具１０の天井４８側に取り付けられる第１天吊りボルトと、を備える。また、天吊り用据え付け具は、製品本体６０を天井４８に吊るすために天井４８に埋設されている第２天吊りボルトおよび第１天吊りボルトとの双方に固定されて、天井パネル４６の面内と平行な方向において第１天吊りボルトの位置を調整可能に固定する天吊り位置調整金具３０と、を備える。【選択図】図１
2018146204.tif 000002
【特許請求の範囲】
【請求項１】
天井の下方に配置された天井パネルに設けられた天井開口の外周縁部を前記天井パネルの下方から覆い、製品本体が取り付けられる化粧パネルと、
前記化粧パネルにおける前記天井側に取り付けられる天吊金具と、
前記天吊金具の前記天井側に取り付けられる第１天吊りボルトと、
製品本体を前記天井に吊るすために前記天井に埋設されている第２天吊りボルトおよび前記第１天吊りボルトとの双方に固定されて、前記天井パネルの面内と平行な方向において前記第１天吊りボルトの位置を調整可能に固定する天吊り位置調整金具と、
を備えることを特徴とする天吊り用据え付け具。
【請求項２】
前記天吊り位置調整金具は、前記天吊り位置調整金具の長手方向に沿って設けられて前記第２天吊りボルトが固定される長孔である位置調整長孔と、前記第１天吊りボルトが固定される固定孔とを備えること、
を特徴とする請求項１に記載の天吊り用据え付け具。
【請求項３】
前記化粧パネルは、前記天吊金具を固定する固定孔を異なる位置に複数備えること、
を特徴とする請求項１または２に記載の天吊り用据え付け具。
【請求項４】
前記化粧パネルは、外形寸法が異なる前記化粧パネルに変更可能であること、
を特徴とする請求項３に記載の天吊り用据え付け具。
【請求項５】
前記化粧パネルは、前記製品本体を固定する固定部およびダクト接続用のダクト接続口取付部を有すること、
を特徴とする請求項３または４に記載の天吊り用据え付け具。
【請求項６】
前記天井パネルと前記化粧パネルとの間にコーキング材を備えること、
を特徴とする請求項１から５のいずれか１つに記載の天吊り用据え付け具。
【発明の詳細な説明】
【技術分野】
【０００１】
本発明は、換気扇、暖房機または乾燥機といった製品を天井に据え付けるための天吊り用据え付け具に関する。
【背景技術】
【０００２】
天井裏にバス乾燥機能、暖房機能および換気機能を備えた天井埋め込み型の製品を取り付ける際には天井部に据え付け用の開口が開けられる。初めて天井部に上記製品が取り付けられる場合であれば、製品の仕様に合わせた指定の寸法の開口が開けられる。しかし、従来機種および他社製品から新たに製品を置き換える場合には、製品によって必要な開口寸法が異なるため、既存の開口を塞ぐかまたは拡大して、新規に据え付ける製品に開口の寸法を合わせている。
【０００３】
このような製品の天井への据え付け方法は２種類ある。１つ目の方法は、天井材の上に補強材である野縁を固定し、野縁に直接ねじで製品を固定する野縁据え付けである。野縁据え付けの場合、製品を置き換える場合には、新規に据え付ける製品の開口寸法に合わせて野縁が組み直される。２つ目の方法は、天吊り用据え付け具を用いて製品を吊る天吊据え付けである。天吊据え付けの場合、製品を置き換える場合には、既設製品を吊っているアンカーボルトを再利用するが、既設製品を吊っているアンカーボルトを再利用して新しい製品を据え付けることができない場合には、新規でアンカーボルトを天井に埋め込んでいる。
【０００４】
特許文献１には、換気扇を天吊据え付けするための取付具として、補助枠を換気扇本体が挿通される枠体と、枠体の側壁に端部が接続され且つ、上方を門形に突設された天井枠と、天井枠に回動自在に設けられ、防振部材が装着されたアンカーボルト取付板とにより形成した取付具が開示されている。
【先行技術文献】
【特許文献】
【０００５】
【特許文献１】実開平５−１９３６号公報
【発明の概要】
【発明が解決しようとする課題】
【０００６】
しかしながら、上記特許文献１の技術によれば、既存のアンカーボルトの位置によっては既存のアンカーボルトを流用できない場合が生じる。この場合は、新規でアンカーボルトを埋め込む必要があり、据え付け作業の負担が増える、という問題があった。
【０００７】
本発明は、上記に鑑みてなされたものであって、天井に製品を取り付ける際の施工性の向上が可能な天吊り用据え付け具を得ることを目的とする。
【課題を解決するための手段】
【０００８】
上述した課題を解決し、目的を達成するために、本発明にかかる天吊り用据え付け具は、天井の下方に配置された天井パネルに設けられた天井開口の外周縁部を天井パネルの下方から覆い、製品本体が取り付けられる化粧パネルと、化粧パネルにおける天井側に取り付けられる天吊金具と、天吊金具の天井側に取り付けられる第１天吊りボルトと、を備える。また、天吊り用据え付け具は、製品本体を天井に吊るすために天井に埋設されている第２天吊りボルトおよび第１天吊りボルトとの双方に固定されて、天井パネルの面内と平行な方向において第１天吊りボルトの位置を調整可能に固定する天吊り位置調整金具と、を備える。
【発明の効果】
【０００９】
本発明によれば、天井に製品を取り付ける際の施工性の向上が可能な天吊り用据え付け具が得られる、という効果を奏する。
【図面の簡単な説明】
【００１０】
【図１】本発明の実施の形態にかかる天吊り用据え付け具を用いた製品の据え付け方法を示す模式図
【図２】本発明の実施の形態にかかる天吊金具を示す斜視図であり、（ａ）は正面側から見た斜視図であり、（ｂ）は背面側から見た斜視図
【図３】本発明の実施の形態にかかる化粧パネルと天吊金具との取り付け方法を示す分解斜視図
【図４】本発明の実施の形態にかかる化粧パネルの構成を示す拡大図であり、図３における領域Ａの要部拡大図
【図５】本発明の実施の形態にかかる天吊り位置調整金具を示す図であり、（ａ）は天吊り位置調整金具の上面図であり、（ｂ）と（ｃ）は天吊り位置調整金具の側面図
【図６】本発明の実施の形態にかかる天吊り位置調整金具に対する既設アンカーボルトおよび新設アンカーボルトの取り付け方法を示す分解斜視図
【図７】本発明の実施の形態にかかる化粧パネルの取り付け方法を示す斜視図
【図８】本発明の実施の形態にかかる天吊金具と新設アンカーボルトとの固定方法を表す分解斜視図
【図９】本発明の実施の形態にかかる化粧パネルのコーキング材の配置例を示す図であり、（ａ）は天井パネルの下方から見た斜視図であり、（ｂ）は図９（ａ）における線分ＩＸ（ｂ）−ＩＸ（ｂ）に沿った断面図
【図１０】バス乾燥暖房換気システムの据え付け例を示す模式図
【図１１】本発明の実施の形態にかかる化粧パネルへの１部屋換気用バス乾燥暖房換気システムの取り付け方法を示す図
【図１２】本発明の実施の形態にかかる化粧パネルへの１部屋換気用バス乾燥暖房換気システムの取り付け方法を示す図
【図１３】本発明の実施の形態にかかる化粧パネルへの２部屋換気用バス乾燥暖房換気システムの製品本体および３部屋換気用バス乾燥暖房換気システムの製品本体の取り付け方法を示す図
【図１４】本発明の実施の形態にかかる化粧パネルへの２部屋換気用バス乾燥暖房換気システムの製品本体および３部屋換気用バス乾燥暖房換気システムの製品本体の取り付け方法を示す図
【図１５】本発明の実施の形態にかかる化粧パネルに排気用ダクト接続口および副吸込みダクト接続口を取り付けた状態を示す図
【図１６】本発明の実施の形態にかかる化粧パネルのダクト接続口取付部を示す図
【図１７】本発明の実施の形態における化粧パネルのダクト接続口取付部の詳細を示す要部拡大図
【図１８】本発明の実施の形態にかかる排気用ダクト接続口および副吸込みダクト接続口における化粧パネル取付け部を示す図
【図１９】本発明の実施の形態における排気用ダクト接続口および副吸込みダクト接続口における化粧パネル取付け部の詳細を示す要部拡大図
【発明を実施するための形態】
【００１１】
以下に、本発明の実施の形態にかかる天吊り用据え付け具を図面に基づいて詳細に説明する。なお、この実施の形態によりこの発明が限定されるものではない。
【００１２】
実施の形態
図１は、本発明の実施の形態にかかる天吊り用据え付け具を用いた製品の据え付け方法を示す模式図である。図２は、本発明の実施の形態にかかる天吊金具を示す斜視図であり、（ａ）は正面側から見た斜視図であり、（ｂ）は背面側から見た斜視図である。図３は、本発明の実施の形態にかかる化粧パネル２０と天吊金具１０との取り付け方法を示す分解斜視図である。図４は、本発明の実施の形態にかかる化粧パネル２０の構成を示す拡大図であり、図３における領域Ａの要部拡大図である。
【００１３】
本発明の実施の形態にかかる天吊り用据え付け具は、換気扇、暖房機または乾燥機といった製品を天井に据え付けるための天吊り用据え付け具である。以下では、バス乾燥暖房換気システムを天井に据え付ける場合を例に説明する。本実施の形態にかかる天吊り用据え付け具は、図１に示すように、天井４８の下方に配置された天井パネル４６の面内において、天井パネル４６に設けられた天井パネル開口４６ａの外周縁部を天井パネル４６の下方から覆い、バス乾燥暖房換気システムの製品本体６０が取り付けられる化粧パネル２０と、化粧パネル２０における天井４８側に取り付けられて、化粧パネル２０を新設アンカーボルト３１で天吊り固定する天吊金具１０と、バス乾燥暖房換気システムの製品本体６０を天井に吊るすために天井４８に埋設されている既設アンカーボルト３２および新設アンカーボルト３１との双方に固定されて、天井パネル４６の面内と平行な方向において新設アンカーボルト３１の位置を調整可能に固定する天吊り位置調整金具３０と、を備える。
【００１４】
天吊金具１０は、図２に示すようにＬ字状を有する金具であり、ステンレスといった耐食性の高い金属材料によって構成されている。天吊金具１０は、上部となる長手方向の一端に、第１天吊りボルトである新設アンカーボルト３１を固定するためのアンカーボルト固定部１０ａである屈曲部を備える。また、天吊金具１０は、下部となる長手方向の他端に、化粧パネル２０に固定するための引掛け部１０ｂとねじ孔１０ｃを備える。アンカーボルト固定部１０ａには図示しない長円状の開口が設けられており、長円状のアンカーボルト通し孔１１ａが設けられたゴムブッシュ１１がこの開口に嵌め込まれている。ゴムブッシュ１１は、長円状のアンカーボルト通し孔１１ａが設けられているため、施工時にアンカーボルトのピッチが多少ずれていても作業性が悪化することはない。
【００１５】
化粧パネル２０は、図３に示すように矩形平板状の外形形状を有し、矩形形状の中央部に、天井パネル４６の開口に合わせた形状および寸法を有する開口部２０ａを備える。また、化粧パネル２０の外形寸法は、既存製品のパネル外形および後述する天井パネル４６における天井パネル開口４６ａより大きい寸法とされている。図３および図４に示すように、化粧パネル２０の開口部２０ａにおける一対の長辺には、開口部２０ａの縁から天井４８に向けて立設された天吊金具固定部２０ｂが設けられている。
【００１６】
また、天吊金具固定部２０ｂには、図３および図４に示すように、天吊金具１０を固定するための固定孔として切り欠き部２０ｃとねじ孔２０ｄとが設けられている。天吊金具１０の引掛け部１０ｂを天吊金具固定部２０ｂの切り欠き部２０ｃに差し込み、天吊金具１０のねじ孔１０ｃと天吊金具固定部２０ｂのねじ孔２０ｄにねじ２１を挿入してねじ固定することによって、化粧パネル２０の天吊金具固定部２０ｂと天吊金具１０とが固定される。
【００１７】
化粧パネル２０には、４本の天吊金具１０が、対向する一対の天吊金具固定部２０ｂに取り付けられる。切り欠き部２０ｃとねじ孔２０ｄとは、天吊金具固定部２０ｂの長手方向において異なる位置に複数設けられており、アンカーボルトの設置状態によって天吊金具１０の固定位置を選択することができる。
【００１８】
図５は、本発明の実施の形態にかかる天吊り位置調整金具３０を示す図であり、（ａ）は天吊り位置調整金具３０の上面図であり、（ｂ）は天吊り位置調整金具３０の側面図であり、（ｃ）は天吊り位置調整金具３０の側面図である。天吊り位置調整金具３０は、図５に示すようにコの字形状の断面形状を有する棒状の金具であり、ステンレスといった耐食性の高い金属材料によって構成されている。天吊り位置調整金具３０は、あらかじめ天井４８に配設されている第２天吊りボルトである既設アンカーボルト３２が固定される位置調整長孔３０ａと、新設される新設アンカーボルト３１が固定される固定孔３０ｂとを備える。
【００１９】
図６は、本発明の実施の形態にかかる天吊り位置調整金具３０に対する既設アンカーボルト３２および新設アンカーボルト３１の取り付け方法を示す分解斜視図である。天吊り位置調整金具３０は、既設アンカーボルト３２の下端側に配置されて、既設アンカーボルト３２および新設アンカーボルト３１に固定される。
【００２０】
新設アンカーボルト３１は、固定孔３０ｂに通され、ナット４０およびワッシャー４１を用いて、新設アンカーボルト３１の長手方向においてナット４０とワッシャー４１とで固定孔３０ｂを挟み込むように天吊り位置調整金具３０に固定される。
【００２１】
既設アンカーボルト３２は、位置調整長孔３０ａに通され、ワッシャー４３およびナット４２を用いて天吊り位置調整金具３０に固定される。天吊り位置調整金具３０の位置調整長孔３０ａは、天吊り位置調整金具３０の長手方向に沿った長孔とされているため、新設アンカーボルト３１が規定の位置に位置するように既設アンカーボルト３２の固定位置を調整可能とされている。また、既設アンカーボルト３２は、天井裏の高さおよび化粧パネル２０の吊り高さに応じて、短く切断して天吊り位置調整金具３０に固定される。
【００２２】
図７は、本発明の実施の形態にかかる化粧パネル２０の取り付け方法を示す斜視図である。図８は、本発明の実施の形態にかかる天吊金具１０と新設アンカーボルト３１との固定方法を表す分解斜視図である。化粧パネル２０は、化粧パネル２０に固定された４本の天吊金具１０の長円状のアンカーボルト通し孔１１ａの各々に新設アンカーボルト３１を通し、化粧パネル２０と天井パネル４６との高さを合わせて、ワッシャー４４とナット４５を用いて固定される。化粧パネル２０の外形寸法は、既存製品のパネル外形より大きい寸法とされており、天井パネル４６における天井パネル開口４６ａの周囲の日焼け跡および変色を覆い隠すことができる。
【００２３】
図９は、本発明の実施の形態にかかる化粧パネル２０のコーキング材４７の配置例を示す図であり、（ａ）は天井パネル４６の下方から見た斜視図であり、（ｂ）は図９（ａ）における線分ＩＸ（ｂ）−ＩＸ（ｂ）に沿った断面図である。室内の湿気に起因した天井裏への湿気流入防止のために、図９に示すように化粧パネル２０と天井パネル４６との間のすき間の全周は、コーキング材４７で塞がれる。
【００２４】
図１０は、バス乾燥暖房換気システムの据え付け例を示す模式図である。図１０においては、浴室６１の天井パネル４６にバス乾燥暖房換気システムの製品本体６０が据え付けられている。浴室６１の天井パネル４６に据え付けられるバス乾燥暖房換気システムの製品本体６０には、浴室６１のみの換気が可能な１部屋換気用バス乾燥暖房換気システムの製品本体５０と、浴室６１の他に脱衣室６２の脱衣室副吸込み口６３およびトイレ６４のトイレ副吸込み口６５のどちらか一方を選択して脱衣室６２またはトイレ６４のどちらか一方の換気を行うことができる２部屋換気用バス乾燥暖房換気システムの製品本体５２、および浴室６１の他に脱衣室６２およびトイレ６４の双方とも換気可能な３部屋換気用バス乾燥暖房換気システムの製品本体５３とがある。
【００２５】
図１１および図１２は、本発明の実施の形態にかかる化粧パネル２０への１部屋換気用バス乾燥暖房換気システムの取り付け方法を示す図である。１部屋換気用バス乾燥暖房換気システムの場合は、１部屋排気用ダクト接続口５６があらかじめ１部屋換気用バス乾燥暖房換気システムの製品本体５０に取り付けられている。この場合は、図１１に示すように化粧パネル２０の下方から１部屋換気用バス乾燥暖房換気システムの製品本体５０を斜めから水平方向に差し込みまたはスライドして化粧パネル２０の開口部２０ａに差し込み、図１２に示すように製品固定ねじ５１を１部屋換気用バス乾燥暖房換気システムの製品本体５０に設けられた固定孔５０ａと化粧パネル２０に設けられた固定孔２０ｈとに通して、１部屋換気用バス乾燥暖房換気システムの製品本体５０を化粧パネル２０にねじ固定する。
【００２６】
図１３および図１４は、本発明の実施の形態にかかる化粧パネル２０への２部屋換気用バス乾燥暖房換気システムの製品本体５２および３部屋換気用バス乾燥暖房換気システムの製品本体５３の取り付け方法を示す図である。２部屋換気用バス乾燥暖房換気システムおよび３部屋換気用バス乾燥暖房換気システムの場合は、図１３に示すように化粧パネル２０の下方から２部屋換気用バス乾燥暖房換気システムの製品本体５２または３部屋換気用バス乾燥暖房換気システムの製品本体５３を化粧パネル２０の開口部２０ａに差し込み、図１４に示すように２部屋換気用バス乾燥暖房換気システムの製品本体５２または３部屋換気用バス乾燥暖房換気システムの製品本体５３を１部屋換気用バス乾燥暖房換気システムの製品本体５０の場合と同様にして製品固定ねじ５６で固定する。
【００２７】
図１５は、本発明の実施の形態にかかる化粧パネル２０に排気用ダクト接続口５４および副吸込みダクト接続口５５を取り付けた状態を示す図である。図１６は、本発明の実施の形態にかかる化粧パネル２０のダクト接続口取付部２０ｇを示す図である。図１７は、本発明の実施の形態における化粧パネル２０のダクト接続口取付部２０ｇの詳細を示す要部拡大図である。
【００２８】
２部屋換気用バス乾燥暖房換気システムの製品本体５２および３部屋換気用バス乾燥暖房換気システムの製品本体５３には、排気用ダクト接続口５４および副吸込みダクト接続口５５が取り付けられていない。このため、２部屋換気用バス乾燥暖房換気システムの製品本体５２または３部屋換気用バス乾燥暖房換気システムの製品本５３を化粧パネル２０に固定する前に、図１５に示すようにあらかじめ化粧パネル２０に排気用ダクト接続口５４および副吸込みダクト接続口５５が取り付けられる。
【００２９】
図１５から図１７に示すように、化粧パネル２０の開口部２０ａにおける一対の短辺には、開口部２０ａの縁から天井４８に向けて立設された、ダクト接続用のダクト接続口取付部２０ｇが設けられている。ダクト接続口取付部２０ｇには、図１６および図１７に示すように複数の切り欠き部２０ｅと複数の孔２０ｆとが設けられている。排気用ダクト接続口５４および副吸込みダクト接続口５５は、ダクト接続口取付部２０ｇに取り付けられる。
【００３０】
なお、天吊金具固定部２０ｂとダクト接続口取付部２０ｇとは、双方が切り欠き部２０ｃとねじ孔２０ｄと切り欠き部２０ｅと孔２０ｆとを備えることによって、互いに流用可能となる。また、天吊金具固定部２０ｂとダクト接続口取付部２０ｇとのうち一方のみに切り欠き部２０ｃとねじ孔２０ｄと切り欠き部２０ｅと孔２０ｆとを設けて天吊金具固定部２０ｂとダクト接続口取付部２０ｇとに流用できるようにしてもよい。図１３においては、一対の天吊金具固定部２０ｂのうち一方の天吊金具固定部２０ｂをダクト接続口取付部２０ｇにも流用した図を示している。また、図１５においては、一対の天吊金具固定部２０ｂのうち他方の天吊金具固定部２０ｂをダクト接続口取付部２０ｇにも流用した図を示している。
【００３１】
図１８は、本発明の実施の形態にかかる排気用ダクト接続口５４および副吸込みダクト接続口５５における化粧パネル取付け部５４ｃ，５５ｃを示す図である。図１９は、本発明の実施の形態における排気用ダクト接続口５４および副吸込みダクト接続口５５における化粧パネル取付け部５４ｃ，５５ｃの詳細を示す要部拡大図である。排気用ダクト接続口５４および副吸込みダクト接続口５５の下端部には、図１８および図１９に示すように、化粧パネル２０のダクト接続口取付部２０ｇが取り付けられる化粧パネル取付け部５４ｃ，５５ｃが設けられている。また、化粧パネル取付け部５４ｃ，５５ｃには、図１９に示すように、面内に突出部５４ｂ，５５ｂを有する引掛け部５４ａ，５５ａが形成されている。
【００３２】
化粧パネル２０に排気用ダクト接続口５４および副吸込みダクト接続口５５を取り付ける際には、排気用ダクト接続口５４および副吸込みダクト接続口５５の化粧パネル取付け部５４ｃ，５５ｃを化粧パネル２０のダクト接続口取付部２０ｇに位置合わせする。そして、化粧パネル取付け部５４ｃ，５５ｃの引掛け部５４ａ，５５ａをダクト接続口取付部２０ｇの切り欠き部２０ｅにスライドさせて差し込み、引掛け部５４ａの突出部５４ｂをダクト接続口取付部２０ｇの孔２０ｆに嵌め込んで仮固定する。これより、化粧パネル２０に排気用ダクト接続口５４および副吸込みダクト接続口５５を取り付けることができる。
【００３３】
上述した実施の形態にかかる天吊り用据え付け具を用いたバス乾燥暖房換気システムの製品本体６０の天吊据え付けでは、化粧パネル２０に天吊金具１０がねじ固定され、天吊金具１０に新設アンカーボルト３１がねじ固定される。また、新設アンカーボルト３１に天吊り位置調整金具３０がねじ固定され、天吊り位置調整金具３０に既設アンカーボルト３２がねじ固定される。そして、バス乾燥暖房換気システムの製品本体６０が化粧パネル２０にねじ固定される。これにより、バス乾燥暖房換気システムの製品本体６０を天吊据え付けできる。
【００３４】
既定の長さの新設アンカーボルト３１を用いる場合には、天井裏の高さおよび化粧パネル２０の吊り高さに応じて既設アンカーボルト３２を短く切断する。これにより、化粧パネル２０の吊り高さを容易に且つ自在に調整することが可能である。これにより、施工性の向上および施工時間の短縮が可能である。また、既設アンカーボルト３２を短く切断する代わりに、新設アンカーボルト３１の長さを調整してもよい。あらかじめ新設アンカーボルト３１の長さを調整することで、屋根裏での既設アンカーボルト３２の切断作業が不要となり、据え付け作業が容易になる。
【００３５】
また、既設アンカーボルト３２は、天吊り位置調整金具３０に設けられた位置調整長孔３０ａに取り付けられる。位置調整長孔３０ａは、天吊り位置調整金具３０の長手方向に沿った長孔とされているため、位置調整長孔３０ａにおける既設アンカーボルト３２の固定位置を、天吊り位置調整金具３０の長手方向において移動させることが可能である。また、天吊り位置調整金具３０は、既設アンカーボルト３２を中心軸として回転可能とされている。これにより、既設アンカーボルト３２および新設アンカーボルト３１を変形させることなく、天吊り位置調整金具３０と既設アンカーボルト３２との位置決めおよび接続を容易に且つ確実に行うことができ、また、新たなアンカーボルトを天井48に埋め込む必要がなく、施工性の向上および施工時間の短縮が可能である。
【００３６】
また、変形させることなく既設アンカーボルト３２および新設アンカーボルト３１を天吊り位置調整金具３０に取り付けられるため、既設アンカーボルト３２および新設アンカーボルト３１に不要な応力が掛かることがなく、既設アンカーボルト３２および新設アンカーボルト３１の強度に問題が生じることがなく、信頼性の高い据え付けが可能である。
【００３７】
また、化粧パネル２０の外形寸法は、既存製品のパネル外形より大きい寸法とされている。すなわち、化粧パネル２０の外形寸法は、天井パネル４６における既存の天井パネル開口４６ａの開口寸法より大きい寸法とされている。したがって、化粧パネル２０を取り付けることで、化粧パネル２０が天井パネル開口４６ａを塞ぐとともに天井パネル開口４６ａの周囲まで覆うため、天井パネル開口４６ａの周囲の日焼け跡および変色を完全に覆い隠すことができる。これにより、新たなバス乾燥暖房換気システムを据え付ける場合でも、グリルといった別部材を用いることなく、天井パネル４６の見栄えを損なうことなくバス乾燥暖房換気システムを据え付けることができる。
【００３８】
また、新たに据え付けるバス乾燥暖房換気システムの製品本体６０のパネル外形が、既存製品のパネル外形より大きい場合は、天井パネル開口４６ａを広げればよい。また、新たに据え付けるバス乾燥暖房換気システムの製品本体６０のパネル外形が、既存製品のパネル外形より小さい場合には、化粧パネル２０が天井パネル開口４６ａの周囲まで覆うため、既存の天井パネル開口４６ａを塞ぐ作業が不要であり、施工性の向上および施工時間の短縮が可能である。
【００３９】
また、既存製品が野縁据え付けされていた場合に、新しい製品を再度、野縁据え付けする場合には、天井パネル開口を新しい製品に対応した寸法に変更するのには手間がかかり、特に塞ぐ作業は非常に負担が大きく、野縁を組み直す作業も非常に負担が大きかった。
【００４０】
過去に使用された既設アンカーボルト３２が存在する場合には、本実施の形態にかかる天吊り用据え付け具を用いることで、既存製品が野縁据え付けされていた場合でも、既設の天井パネル開口を流用して新しい製品への置き換えが容易に可能であり、施工性および施工時間の改善が可能である。
【００４１】
また、化粧パネル２０は、外形寸法が異なる複数の化粧パネル２０のうちのいずれか１つに変更可能である。これにより、天井パネル開口４６ａの寸法またはバス乾燥暖房換気システムの製品本体６０の寸法に応じて適切な寸法の化粧パネル２０を選択可能となる。
【００４２】
したがって、本実施の形態にかかる天吊り用据え付け具によれば、天井に製品を取り付ける際の施工性の向上が可能であり、意匠性の高い製品の据え付けが可能となる。
【符号の説明】
【００４３】
１０  天吊金具、１０ａ  アンカーボルト固定部、１０ｂ  引掛け部、１０ｃ，２０ｄ  ねじ孔、１１  ゴムブッシュ、１１ａ  アンカーボルト通し孔、２０  化粧パネル、２０ａ  開口部、２０ｂ  天吊金具固定部、２０ｃ，２０ｅ  切り欠き部、２０ｆ  孔、２０ｇ  ダクト接続口取付部、３０  天吊り位置調整金具、３０ａ  位置調整長孔、２０ｈ，３０ｂ，５０ａ  固定孔、３１  新設アンカーボルト、３２  既設アンカーボルト、４０，４２，４５  ナット、４１，４３，４４  ワッシャー、４６  天井パネル、４６ａ  天井パネル開口、４７  コーキング材、４８  天井、５０  １部屋換気用バス乾燥暖房換気システムの製品本体、５１，５６  製品固定ねじ、５２  ２部屋換気用バス乾燥暖房換気システムの製品本体、５３  ３部屋換気用バス乾燥暖房換気システム製品本体、５４  排気用ダクト接続口、５４ａ，５５ａ  引掛け部、５４ｂ，５５ｂ  突出部、５４ｃ，５５ｃ  化粧パネル取付け部、５５  副吸込みダクト接続口、５６  １部屋排気用ダクト接続口、６０  バス乾燥暖房換気システムの製品本体、６１  浴室、６２  脱衣室、６３  脱衣室副吸込み口、６４  トイレ、６５  トイレ副吸込み口。
【図１】
2018146204.tif 000003
【図２】
2018146204.tif 000004
【図３】
2018146204.tif 000005
【図４】
2018146204.tif 000006
【図５】
2018146204.tif 000007
【図６】
2018146204.tif 000008
【図７】
2018146204.tif 000009
【図８】
2018146204.tif 000010
【図９】
2018146204.tif 000011
【図１０】
2018146204.tif 000012
【図１１】
2018146204.tif 000013
【図１２】
2018146204.tif 000014
【図１３】
2018146204.tif 000015
【図１４】
2018146204.tif 000016
【図１５】
2018146204.tif 000017
【図１６】
2018146204.tif 000018
【図１７】
2018146204.tif 000019
【図１８】
2018146204.tif 000020
【図１９】
2018146204.tif 000021